(57)【要約】【課題】簡易トイレで排便した後、便器に大便の汚れが付かないようにするための便器の汚れを防止するトイレシートペーパーを提供する。【解決手段】排出穴１３が設けられた便器１１の凹部下面に敷いて排泄した便と共に排出穴１３より排出されるトイレシートペーパー１であって、平面形状が円形に成形されたペーパー本体部１ａを有し、このペーパー本体部１ａは、その中心部に楕円または長円の開口穴２を有すると共に、この開口穴２からペーパー本体部１ａの外周に向かって放射状に切取線３ａ〜３ｈが複数本設けられており、この切取線３ａ〜３ｈは、切り抜き線部と切り抜きでないつなぎ部分とが交互に設けられたものであって、開口穴２周辺にかかる重量が増加する毎に順次放射状に前記つなぎ部分が切り取られることを特徴とする。【選択図】図３
2008036359.tif 000002
【特許請求の範囲】
【請求項１】
排出穴が設けられた便器の凹部下面に敷いて排泄した便と共に前記排出穴より排出されるトイレシートペーパーであって、
平面形状が円形に成形されたペーパー本体部を有し、
このペーパー本体部は、その中心部に楕円または長円の開口穴を有すると共に、この開口穴から前記ペーパー本体部の外周に向かって放射状に切取線が複数本設けられており、
この切取線は、切り抜き線部と切り抜きでないつなぎ部分とが交互に設けられたものであって、前記開口穴周辺にかかる重量が増加する毎に順次放射状に前記つなぎ部分が切り取られることを特徴とするトイレシートペーパー。
【請求項２】
前記ペーパー本体部には、前記楕円または長円の長手方向に平面形状が舌状に成形された突出部が延設されていることを特徴とする請求項１に記載のトイレシートペーパー。
【発明の詳細な説明】
【技術分野】
【０００１】
本発明は、簡易トイレで排便した後、便器に大便の汚れが付かないようにするための便器の汚れを防止するトイレシートペーパーに関する。
【背景技術】
【０００２】
トイレは、排便した後に、便器に大便の汚れが付くと、便器に付着した大便の汚れを落とすために掃除用薬品類を便器に散布し専用のブラシで汚れを擦り落とす必要があった。
【０００３】
そこで、水に容易に溶ける成形した敷シートペーパーを便器の機能や形状に合わせて折り目部や切れ込み部を加えたトイレの敷シートペーパー（特許文献１）が提案されている。
【０００４】
この特許文献１の敷シートペーパーは、トイレで排便前、便器の機能や形状に合わせて折り目部や切れ込み部を加え、大便が落下する位置の中央付近の便器に敷き、排便後、そのまま水洗式の場合は貯留した水で、汲み取り式のトイレでは別途用意した水で洗い流すものである。
【特許文献１】特開２００２−９５６０９号公報
【発明の開示】
【発明が解決しようとする課題】
【０００５】
ところで、災害が発生した時などの緊急時に設けられる仮設トイレは、非水洗式のトイレが多く、排便した後に、洗い流す水を用意できない場合が多い。かかる場合、水で流すことを前提とした特許文献１の敷シートペーパーでは排便後の便器の汚れを防止することができない虞がある。
【０００６】
従って、洗い流すための水を必要とすることなく、排便後の便器の汚れを防止することができるシートペーパーの開発が望まれていた。
【０００７】
本発明は、前記課題を解決するためになされたものであり、洗い流すための水を必要とすることなく、排便後の便器の汚れを防止することができるトイレシートペーパーを提供することを技術的課題とする。
【課題を解決するための手段】
【０００８】
本発明はトイレシートペーパーであり、前述した技術的課題を解決するために以下のように構成されている。
すなわち、本発明のトイレシートペーパーは、排出穴が設けられた便器の凹部下面に敷いて排泄した便と共に前記排出穴より排出されるトイレシートペーパーであって、
平面形状が円形に成形されたペーパー本体部を有し、
このペーパー本体部は、その中心部に楕円または長円の開口穴を有すると共に、この開口穴から前記ペーパー本体部の外周に向かって放射状に切取線が複数本設けられており、
この切取線は、切り抜き線部と切り抜きでないつなぎ部分とが交互に設けられたものであって、前記開口穴周辺にかかる重量が増加する毎に順次放射状に前記つなぎ部分が切り取られることを特徴とする。
【０００９】
このトイレシートペーパーは、排便前、トイレシートペーパーの開口穴を便器の排出穴に合わせて敷くことにより、排便の際、開口穴近傍に堆積する大便の重量の増加と共に徐々に切取線のつなぎ部分が順次放射状に切り取られて、便器の排出穴へ向かって大便がト
イレシートペーパーに包み込まれるように流されるため、１回の使用で便器を汚すことがない。従って、この構成によれば、便器が汚れにくくなるためにトイレの掃除の回数も減る。
【００１０】
また、本発明のトイレシートペーパーにおいて、前記ペーパー本体部には、前記楕円または長円の長手方向に平面形状が舌状に成形された突出部が延設されていることを特徴とする。このトイレシートペーパーは、ペーパー本体部を便器に敷く際に、舌状の突出部を開口穴側に折り曲げることで、放尿が当たる部分が２枚重ねとなり、小便による尿圧に対しペーパー本体部の抵抗力を補強することができる。
【発明の効果】
【００１１】
本発明によれば、洗い流すための水を必要とすることなく、排便後の便器の汚れを防止することができるトイレシートペーパーを提供することができる。
【発明を実施するための最良の形態】
【００１２】
以下、この発明の実施の形態を添付図面に基づいて説明する。なお、この実施の形態にかかるトイレシートペーパーは、排出穴が設けられた便器の凹部下面に敷いて排泄した便と共に前記排出穴より排出されるトイレシートペーパーの場合で説明する。
【００１３】
［トイレシートペーパー１の構成］
このトイレシートペーパー１は、図１に示すように、平面形状が円形に成形されたペーパー本体部１ａと、ペーパー本体部１ａに延設された平面形状が舌状に成形された突出部１ｂと、突出部１ｂと１８０°反対側のペーパー本体部１ａに延設された平面形状が矩形状の凸部１ｃと、を備えている。
【００１４】
ペーパー本体部１ａは、その中心部に楕円（または長円）の開口穴２を有すると共に、この開口穴２から所定の距離だけ切取線３ａ〜３ｈが複数（この実施の形態では６本）設けられている。
【００１５】
６本の切取線３ａ〜３ｈは、開口穴２より放射状に設けられている。また、切取線３ａ〜３ｈは、図２に示す切取線３ａで説明すると、切り抜き線部イと切り抜きでないつなぎ部分ロとが交互に配置したものである。より詳しく切取線３ａを説明すると、切取線３ａの全長が２４ｍｍであるとすると、中心の開口穴２より４ｍｍの切り抜き線部イと２ｍｍのつなぎ部分ロとが交互に設けられている。なお、切取線３ａ〜３ｈのつなぎ部分ロは、開口穴２周辺にかかる大便の重量が増加する毎に順次放射状に切り取られるように構成されている。
【００１６】
また、突出部１ｂは、ペーパー本体部１ａの楕円の開口穴２の長手方向に平面形状が舌状に突出して成形されている。なお、突出部１ｂは、ペーパー本体部１ａを便器に敷く際に、舌先を開口穴側に向けて折り曲げ２枚重ねにして使用する。
【００１７】
更に、矩形状の凸部１ｃは、ペーパー本体部１ａを便器に敷く際に、トイレシートペーパー１の位置を決めるための目印として使用する。
【００１８】
トイレシートペーパー１の素材は、ざら紙であり、例えばＬシートを打ち抜き加工したものを使用する。その厚さは０．０３３ｍｍ程度（０．０３０ｍｍ〜０．０４５ｍｍの範囲内）であり、２０ｇ／ｍ2のものを使用する。
【００１９】
［トイレシートペーパー１の使用方法の説明］
次に、トイレシートペーパー１の使用方法を図３および図４に示す仮設用洋式トイレの
場合で説明する。
仮設用洋式トイレ１０は、図１に示すように、凹状の便器１１と便器１１の凹部を開閉自在とする蓋１２とを有する。この仮設用洋式トイレ１０は、図２に示すように、床部材１３上に設置され、床部材１３の下部には便槽１５が設けられている。そして、便器１１の凹部には排出穴１３が設けられ、この排出穴１３を介して便器１１の凹部と便槽１５とがつながっている。
【００２０】
トイレシートペーパー１は、排便前、トイレシートペーパー１の開口穴２を便器１１の排出穴１３に合わせて敷いて使用する。なお、トイレシートペーパー１を敷く際には、矩形状の凸部１ｃを蓋１２側に向けて位置決めすると共に、舌状の突出部１ｂを開口穴２側に折り曲げて２枚重ねにする。
【００２１】
そして、トイレシートペーパー１は、排便の際、開口穴２周辺に代弁が堆積すると、切取線３ａ〜３ｈのつなぎ部分ロが、大便の重量が増加する毎に順次放射状に切り取られ、便器１１の排出穴１３へ向かって大便がトイレシートペーパー１に包み込まれるように沈み込んで流される。従って、１回の使用で便器を汚すことがほとんどなくなり、トイレの掃除の回数を減らすことができる。
【００２２】
また、舌状の突出部１ｂを開口穴２側に折り曲げて２枚重ねにすることで、小便による尿圧に対しペーパー本体部１ａの抵抗力を補強することができ、放尿時にトイレシートペーパー１を敷いた位置がずれたり、トイレシートペーパー１が破れたりしないように防止できる。
【００２３】
［和式トイレにおけるトイレシートペーパー１の使用方法の説明］
次に、和式トイレにおけるトイレシートペーパー１の使用方法を図５に基づき説明する。
仮設用和式トイレ２０は、図５に示すように、長円形の便器２１と便器２１の長手方向一端に設けられた金隠し２２とを有する。この仮設用和式トイレ２０は、仮設用洋式トイレ１０と同様に、床部材上に設置され、床部材の下部には便槽が設けられている。そして、便器２１の凹部には排出穴２３が設けられ、この排出穴２３を介して便器２１の凹部と便槽とがつながっている。
【００２４】
トイレシートペーパー１は、排便前、トイレシートペーパー１の開口穴２を便器２１の排出穴２３に合わせて敷いて使用する。また、トイレシートペーパー１を敷く際には、矩形状の凸部１ｃを金隠し２２側の１８０度反対側に向けて位置決めすると共に、舌状の突出部１ｂを開口穴２側に折り曲げて２枚重ねにする。なお、和式トイレにおけるトイレシートペーパー１の作用効果は、洋式トイレの場合と同様なので省略する。
【００２５】
なお、この実施の形態では、ペーパー本体部１ａに設けられる切取線３ａ〜３ｈを６本とし、その切取線３ａ〜３ｈも全長が２４ｍｍ、中心の開口穴２より４ｍｍの切り抜き線部イと２ｍｍのつなぎ部分ロとが交互に設けられている場合で説明したが、本発明はこれらの数値に限定されるものではなく、開口穴２周辺にかかる大便の重量が増加する毎に切取線３ａ〜３ｈのつなぎ部分ロが順次放射状に切り取られるように構成されているものは本発明に含まれる。
【図面の簡単な説明】
【００２６】
【図１】本発明のトイレシートペーパーの平面外形図である。
【図２】トイレシートペーパーの切取線の一部拡大図である。
【図３】仮設洋式トイレにおけるトイレシートペーパーの使用例の説明図である。
【図４】図３のＡ−Ａ断面図を示す。
【図５】仮設和式トイレにおけるトイレシートペーパーの使用例の説明図である。
【符号の説明】
【００２７】
１  トイレシートペーパー
１ａ  ペーパー本体部
１ｂ  突出部
１ｃ  凸部
２  開口穴
３ａ〜３ｈ  切取線
１０  仮設洋式トイレ
１１  便器
１２  蓋
１３  排出穴
１４  床部材
１５  便槽
２０  仮設和式トイレ
２１  便器
２２  金隠し
２３  排出穴
【図１】
2008036359.tif 000003
【図２】
2008036359.tif 000004
【図３】
2008036359.tif 000005
【図４】
2008036359.tif 000006
【図５】
2008036359.tif 000007